(57)【要約】      （修正有）【課題】乳幼児の体の大きさに応じ、ベビーバスの槽底の適宜な箇所にストッパーを着脱可能に取付け、乳幼児の体を洗うときに不用意に滑り落ちることを防ぐベビーバスのストッパーを提供する。【解決手段】ベビーバスのストッパーは、ストッパー本体１及び吸盤２を備える。ストッパー本体１は、頂端が閉鎖端に形成され、底端が開放端に形成され、内部が中空部に形成される。ストッパー本体１の中空部内には、ストッパー本体１の頂端から底端へ延びた連結ピンが成形される。連結ピンの底端には、差し込み孔１３１が形成される。吸盤２は、ストッパー本体１の中空部の底端に配設されるとともに、吸盤２の頂端中央部にピンが成形され、ストッパー本体１の連結ピンの底端に形成された差し込み孔１３１に対応して挿着される。吸盤２は、バスタブの収容槽の槽底に吸着される。【選択図】図１
0003216486.tif 000002
【実用新案登録請求の範囲】
【請求項１】
ストッパー本体及び吸盤を備えたベビーバスのストッパーであって、
前記ストッパー本体は、頂端が閉鎖端に形成され、底端が開放端に形成され、内部が中空部に形成され、前記ストッパー本体の前記中空部内には、前記ストッパー本体の頂端から底端へ延びた連結ピンが成形され、前記連結ピンの底端には、差し込み孔が形成され、
前記吸盤は、前記ストッパー本体の前記中空部の底端に配設されるとともに、前記吸盤の頂端中央部にピンが成形され、前記ストッパー本体の前記連結ピンの底端に形成された前記差し込み孔に対応して挿着され、前記吸盤は、バスタブの収容槽の槽底に吸着されることを特徴とする、
ベビーバスのストッパー。
【請求項２】
前記ストッパー本体の前記連結ピンの前記差し込み孔は、前記連結ピンの底端から前記連結ピンに沿って前記ストッパー本体の頂端に至るまで穿設され、前記ストッパー本体の頂端に形成された前記差し込み孔に対応して取り付けられる飾りストッパーをさらに備えることを特徴とする請求項１に記載のベビーバスのストッパー。
【請求項３】
前記ストッパー本体には、前記ストッパー本体の前記中空部と連通する少なくとも１つの貫通孔が形成されていることを特徴とする請求項１に記載のベビーバスのストッパー。
【考案の詳細な説明】
【技術分野】
【０００１】
本考案は、ベビーバスのストッパーに関し、特に、乳幼児の体の大きさに応じ、ベビーバスの槽底の適宜な箇所にストッパーを着脱可能に取付け、乳幼児の体を洗うときに不用意に滑り落ちることを防ぐベビーバスのストッパーに関する。
【背景技術】
【０００２】
乳幼児は、骨格がまだ十分に完成されていないため体がとても柔らかい。そのため、乳幼児の父母、祖父母などが乳幼児の沐浴を行うときは細心の注意を払う必要があった。
【０００３】
従来市販されているベビーバスは、主に水を溜める収容槽が成形され、乳幼児の沐浴を行うときに乳幼児の体をお湯に入れるが、乳幼児の体は柔らかくて不安定であるため、乳幼児をバスタブに入れたときに姿勢が不安定となり水中に滑り落ちることがあった。そのため、父母など乳幼児の沐浴を行う者は、一方の手で乳幼児の体を支えながら他方の手で乳幼児の体を洗う必要がありとても不便であった。特に、乳幼児の皮膚がボディシャンプー、水などに濡れると、乳幼児の体が滑り易くて抱きにくくなり、沐浴を行う際、不注意により乳幼児が水中に滑り落ちてむせてしまう虞があった。
【０００４】
従来、市販されているベビーバスの一部には、乳幼児がベビーバスで水中に滑り落ちることを防ぐために、底部が波状など滑り止め機能を有する形状に形成されている。しかし、その構造形状は固定されていたため、乳幼児の成長に伴い体が大きくなると、バスタブ構造が合わなくなり、滑り止め構造が設けられたバスタブは、購入した後、短期間しか使用することができないことがあった。そのため、乳幼児をバスタブに入れたときに滑り落ちることを防ぐことができる上、乳幼児の各成長段階に応じて調整し、使用し続けることができる製品の開発を関連分野のメーカーは積極的に行っていた。
【０００５】
本考案者は、従来市販されていたベビーバスなどの製品の欠点に鑑み、鋭意研究を重ねた結果、本考案を完成させたものである。
【考案の概要】
【考案が解決しようとする課題】
【０００６】
本考案の主な目的は、乳幼児の体の大きさに応じてバスタブの槽底の適宜な箇所にストッパーを着脱可能に取付け、乳幼児の体を洗うときに不用意に滑り落ちることを防ぐベビーバスのストッパーを提供することにある。
【課題を解決するための手段】
【０００７】
上記課題を解決するために、本考案の第１の形態によれば、ストッパー本体及び吸盤を備えたベビーバスのストッパーであって、前記ストッパー本体は、頂端が閉鎖端に形成され、底端が開放端に形成され、内部が中空部に形成され、前記ストッパー本体の前記中空部内には、前記ストッパー本体の頂端から底端へ延びた連結ピンが成形され、前記連結ピンの底端には、差し込み孔が形成され、前記吸盤は、前記ストッパー本体の前記中空部の底端に配設されるとともに、前記吸盤の頂端中央部にピンが成形され、前記ストッパー本体の前記連結ピンの底端に形成された前記差し込み孔に対応して挿着され、前記吸盤は、バスタブの収容槽の槽底に吸着されることを特徴とするベビーバスのストッパーを提供する。
【０００８】
前記ストッパー本体の前記連結ピンの前記差し込み孔は、前記連結ピンの底端から前記連結ピンに沿って前記ストッパー本体の頂端に至るまで穿設され、前記ストッパー本体の頂端に形成された前記差し込み孔に対応して取り付けられる飾りストッパーをさらに備えることが好ましい。
【０００９】
前記ストッパー本体には、前記ストッパー本体の前記中空部と連通する少なくとも１つの貫通孔が形成されていることが好ましい。
【考案の効果】
【００１０】
本考案のベビーバスのストッパーは、乳幼児の体の大きさに応じ、ベビーバス、浴槽などの槽底の適宜な箇所にストッパーの吸盤を吸着させ、乳幼児の股下箇所に設置し、乳幼児の沐浴を行う際に体が滑り落ちてむせることを防ぎ、乳幼児の体の成長に応じ、ストッパーを乳幼児の股下に適宜設置することができるため、各成長段階にある乳幼児の沐浴を行う際に滑り止め効果が得られる。
【図面の簡単な説明】
【００１１】
【図１】本考案の一実施形態に係るベビーバスのストッパーを示す分解斜視図である。
【図２】本考案の一実施形態に係るベビーバスのストッパーを示す斜視図である。
【図３】本考案の一実施形態に係るベビーバスのストッパーを示す断面図である。
【図４】本考案の一実施形態に係るベビーバスのストッパーをベビーバスに使用する状態の説明図（１）である。
【図５】本考案の一実施形態に係るベビーバスのストッパーをベビーバスに使用する状態の説明図（２）である。
【図６】本考案の一実施形態に係るベビーバスのストッパーを浴槽に使用する状態の説明図である。
【図７】本考案の一実施形態に係るベビーバスのストッパーを洗面台に使用する状態の説明図である。
【図８】本考案の他の実施形態に係るベビーバスのストッパーを示す分解斜視図である。
【図９】本考案の他の実施形態に係るベビーバスのストッパーを示す斜視図である。
【図１０】本考案の他の実施形態に係るベビーバスのストッパーを示す断面図である。
【考案を実施するための形態】
【００１２】
本考案の技術手段及びそれにより達成可能な効果を、より完全かつ明白に開示するために、開示した添付の図面及び符号と併せて本考案を以下詳説する。
【００１３】
まず、図１〜図３を参照する。図１〜図３に示すように、本考案の一実施形態に係るベビーバスのストッパーは、少なくともストッパー本体１、吸盤２及び飾りストッパー３から構成されてなる。
【００１４】
ストッパー本体１は、頂端が閉鎖端に形成され、底端が開放端に形成され、内部が中空部１１に形成された錐体である。ストッパー本体１の一側には、円弧凹部１２が形成され、ストッパー本体１の中空部１１内には、ストッパー本体１の頂端から底端へ延びた連結ピン１３が成形される。
連結ピン１３の底端には、差し込み孔１３１が形成され、差し込み孔１３１が連結ピン１３の底端から連結ピン１３に沿ってストッパー本体１の頂端に至るまで穿設される。連結ピン１３の差し込み孔１３１の底端孔壁には、嵌着突縁部１３２が形成される。ストッパー本体１頂端の差し込み孔１３１の周側には、少なくとも１つの貫通孔１４が形成される。貫通孔１４は、中空部１１と連通する。
【００１５】
吸盤２は、ストッパー本体１の底端に配設されるとともに、ストッパー本体１の中空部１１に位置する。吸盤２の頂端の中央部には、ピン２１が成形される。ピン２１は、ストッパー本体１の連結ピン１３の底端の差し込み孔１３１に対応して挿着される。ピン２１は、周壁に嵌合溝２１１が形成される。嵌合溝２１１には、差し込み孔１３１の孔壁の嵌着突縁部１３２が対応して嵌着され、吸盤２の底端には持ち片２２が接続され、持ち片２２がストッパー本体１から突出され、ストッパー本体１の外側へ延びた持ち片２２の一部が反った状態に形成される。
【００１６】
飾りストッパー３は、ストッパー本体１の頂端の差し込み孔１３１に対応して取付けられる。
【００１７】
乳幼児の父母などユーザが乳幼児の沐浴を行う際、図４に示すように、乳幼児の体の大きさに応じてバスタブ４などの収容槽４１の槽底の適宜な箇所に、ストッパーが取り付けられる。バスタブ４などの収容槽４１の槽底は平坦状であり、本考案の吸盤２を吸着させると、本考案のストッパー本体１上に形成された貫通孔１４を介してストッパー本体１の中空部１１内の空気が排出され、本考案のストッパーが水中に取り付けられるため、ストッパー本体１は内部にある空気により浮動することがない。
【００１８】
ユーザは、乳幼児をバスタブ４の収容槽４１内のお湯に浸からせ、乳幼児の頭部、背部をバスタブ４の収容槽４１の一側の槽壁に寄りかからせても、本考案のストッパー本体１の円弧凹部１２が乳幼児の股下に向くようにストッパーが乳幼児の股下に設置されているため、乳幼児の体が滑り落ちてむせることを防ぐことができる。
乳幼児の体をバスタブ４の収容槽４１に寄りかからせても、頭部及び首部が水面上に位置するため、乳幼児の体を洗うときに鼻孔、耳孔などに水が入ってむせることを防ぐことができる。
【００１９】
このように、乳幼児の沐浴を行う者は、乳幼児の頭部及び背部を一方の手で支える動作を省略することができるため、乳幼児の沐浴を行う者の手部、腰部、背部などの負担が減り、乳幼児の沐浴を行う際の利便性及び効率を高めることができる。そのため、乳幼児とコミュニケーションを取る余裕ができ、乳幼児の沐浴を行うときの安全性を高めることもできる。
乳幼児の体が大きくなり、元々のストッパーの位置が乳幼児の体に合わなくなり、ストッパーの位置を調整しなければならない場合、ユーザは吸盤２の持ち片２２を手で持って吸盤２を引き起こすと、バスタブ４の収容槽４１の槽底に吸着した吸盤２を外すことができる。本考案のストッパーをバスタブ４から外してから、乳幼児の現在の体の大きさに応じて、ストッパーをバスタブ４の収容槽４１の槽底の適宜な箇所に取り付けることができるため、本考案は、各成長段階にある乳幼児の沐浴を行う際のニーズを満たすことができる。
【００２０】
図５を併せて参照する。図５に示すように、ユーザが２人の乳幼児の沐浴を行うとき、バスタブ４などベビーバスの収容槽４１の槽底の相対位置に、本考案のストッパーをそれぞれ取り付ける。このように、２人の乳幼児をバスタブ４の収容槽４１の両側にそれぞれ横たわらせ、２つの本考案のストッパーを２人の乳幼児の股下に設置し、２人の乳幼児が水中に滑り落ちてむせることを防いでもよい。このように、２人の乳幼児の体を洗うことができるため、お風呂に入れる時間を短縮することができる。
また、バスタブ４の空間が不足し、乳幼児を快適にお風呂に入れることができない場合、図６に示すように、本考案のストッパーを浴槽５などのベビーバスの収容槽５１の平坦槽底に取り付けることができるため、同様に浴槽５で安全かつ容易に乳幼児の体を洗うことができる。また、図７に示すように、ユーザが洗面台６で乳幼児の沐浴を行う場合、本考案のストッパーを洗面台６のベビーバスの収容槽６１の平坦な槽底に取り付けると、ユーザは、高さがちょうど良い洗面台６で乳幼児の沐浴を容易かつ楽に行うことができる。
【００２１】
前述した実施形態又は図面は、本考案を限定するものではなく、図８〜図１０に示すように、飾りストッパー３をストッパー本体１外部に設け、動物、植物、人形などの形状の造型物３１に成形し、乳幼児の注意を向けさせ、沐浴を行う際の乳幼児の不安を取り除き、乳幼児の沐浴を容易に行ってもよい。
また、造型物３１に少なくとも１枚の遮蔽片３２を形成し、ストッパー本体１の貫通孔１４を対応して覆い、本考案の見た目を良くしてもよい。また、ストッパー本体１の中空部１１内の空気を同様に貫通孔１４と遮蔽片３２との間の隙間から排出させてもよい。当該分野の技術を熟知するものが理解できるように、本考案の主旨と領域を逸脱しない範囲内で各種の変更や修正を加えることができる。従って、本考案の実用新案登録請求の範囲は、このような変更や修正を含めて広く解釈されるべきである。
【００２２】
上述したことから分かるように、本考案のベビーバスのストッパーは、以下（１）〜（５）の長所を有する。
（１）乳幼児の体の大きさに合わせてバスタブ、ベビーバスなどの槽底の適宜な箇所にストッパーを取り付け、乳幼児の体が成長するに従い、乳幼児の股下に合う箇所へストッパーを適宜設置することができるため、各成長段階にある乳幼児の沐浴を行う際の滑り止め効果が得られる。
（２）必要に応じてベビーバス、浴槽、洗面台などに着脱可能に取付けることで、乳幼児の人数に応じてベビーバス、浴槽などに１つ又は２つのストッパーを取付け、２人の乳幼児の沐浴を同時に行い、沐浴にかかる時間を大幅に短縮することができる。
（３）ストッパー本体上に形成された複数の貫通孔を介し、ストッパー本体の中空部内の空気を排出させることができるため、ストッパーを水中に設置したときに内部の空気によりストッパー本体が浮動してしまうことを防ぐ。
（４）ストッパー本体の外部に突出するように吸盤を持ち片に成形し、持ち片はブロック本体の外部へ突出されて反った状態に形成される。そのため、持ち片がバスタブの収容槽の槽底に密着し、ユーザが持ち片を持つ際、吸盤が持ち上げにくくなることを防ぐ。
（５）ストッパー本体上に、動物、植物、人形などの飾りストッパーを設け、乳幼児の注意を向けさせ、沐浴を行う際の乳幼児の不安を取り除き、乳幼児の沐浴を容易に行うことができる。
【符号の説明】
【００２３】
１  ストッパー本体
２  吸盤
３  飾りストッパー
４  バスタブ
５  浴槽
６  洗面台
１１  中空部
１２  円弧凹部
１３  連結ピン
１４  貫通孔
２１  ピン
２２  持ち片
３１  造型物
３２  遮蔽片
４１  収容槽
５１  収容槽
６１  収容槽
１３１  差し込み孔
１３２  嵌着突縁部
２１１  嵌合溝
【図１】
0003216486.tif 000003
【図２】
0003216486.tif 000004
【図３】
0003216486.tif 000005
【図４】
0003216486.tif 000006
【図５】
0003216486.tif 000007
【図６】
0003216486.tif 000008
【図７】
0003216486.tif 000009
【図８】
0003216486.tif 000010
【図９】
0003216486.tif 000011
【図１０】
0003216486.tif 000012